(57)【特許請求の範囲】
【請求項１】
電池（１０１）を保持するための開口部（１１３）を備えた電池枠（１０２）を有し、前記電池枠（１０２）には、前記開口部（１１３）側へ突出すると共にテーパが施された庇部（１０５ａ〜１０８ａ）を有する係合部（１０５〜１０８）が設けられ、
前記庇部（１０５ａ〜１０８ａ）には、裏蓋（６０１）を装着した状態で、前記裏蓋（６０１）に当接する突起部（５０１〜５０７）が一体形成されていることを特徴とする電子時計の電池保持構造。
【請求項２】
前記係合部（１０５〜１０８）は複数設けられると共に、前記庇部（１０５ａ〜１０８ａ）は、電池取付時に前記電池（１０１）が前記庇部（１０５ａ〜１０８ａ）の幅狭部（１０５ｃ〜１０８ｃ）に当接した後に幅広部（１０５ｄ〜１０８ｄ）に当接するようなテーパが施されていることを特徴とする請求項１記載の電子時計の電池保持構造。
【請求項３】
前記係合部（１０５〜１０８）は、前記庇部（１０５ａ〜１０８ａ）と、前記庇部（１０５ａ〜１０８ａ）を前記電池枠（１０２）に取付けるための弾性を有する腕部（１０５ｂ〜１０８ｂ）とにより構成されていることを特徴とする請求項２記載の電子時計の電池保持構造。
【請求項４】
前記電池枠（１０２）及び係合部（１０５〜１０８）は、絶縁性樹脂によって一体形成されていることを特徴とする請求項３記載の電子時計の電池保持構造。
【請求項５】
前記突起部（５０１〜５０７）は、その少なくとも一部が前記係合部（１０５〜１０８）の内壁面（６０２）よりも前記開口部（１１３）側に突出するように構成され、前記内壁面（６０２）よりも前記開口部（１１３）側に突出した位置で前記裏蓋（６０１）と当接することを特徴とする請求項１から４のいずれか一項に記載の電子時計の電池保持構造。
【請求項６】
前記電池（１０１）は、ボタン電池であることを特徴とする請求項１から５のいずれか一項に記載の電子時計の電池保持構造。
【請求項７】
前記電子時計は電子腕時計であることを特徴とする請求項１から６のいずれか一項に記載の電子時計の電池保持構造。
【発明の詳細な説明】
技術分野
本発明は、電子時計において電池を保持するための電池保持構造に関するものである。
背景技術
従来から、デジタル表示方式あるいはアナログ表示方式の電子時計において、駆動源として電池が使用されている。従来、電池を時計本体に取付ける方法として、電池を時計本体に組み込んだ後に、電池押え等の電池保持用の別部材を用いて電池を保持するようにしている。
第６図及び第７図に、電池押えを用いた従来の電子時計の電池保持構造を示す。ここで、第６図は電池保持構造周辺の平面図、第７図は第６図のＤ−Ｄ部分正断面図であり、同一部分には同一符号を付している。
第６図及び第７図において、４０１は電池、４０２は電池４０１より僅かに大径の開口部を有する樹脂製の電池枠、４０３は電池枠４０２とは別部材で構成された金属製の電池押え、４０４は電池枠４０２と一体に形成された庇部、４０５は正電極端子である。電池４０１を電池枠４０２内に取付ける場合には、電池４０１を、庇部４０４の下方に位置するように電池枠４０２の開口部内に収納した後、電池４０１の上側から電池押え４０３を電池枠４０２に取付ける。これにより、電池４０１は、電池枠４０２によって平面方向の位置ずれが防止され又、電池枠４０２、電池押え４０３及び庇部４０４によって挟持されて断面方向の位置ずれや脱落が防止される。尚、この状態では、電池４０１は正電極端子４０５と負電極端子（図示せず）に電気的に接触した状態に保持される。
以上のように、電池押え４０３を用いることにより、電池４０１の保持を行うことが可能になる。
しかしながら、前記構造では、電池４０１が断面方向に動かないようにするために、電池枠４０２とは別部品である電池押え４０３が必要となり又組立工数も多くなり、構成が複雑になると共に高価になるという問題があった。また、電池押え４０３を電池４０１に重ねて配設するため、電子時計の厚みが厚くなるという問題があった。
本発明は、簡単な構成で廉価に構成できる電子時計の電池保持構造を提供することを目的としている。また、本発明は、電子時計を薄型化可能にすることを目的としている。さらに、本発明は、電子時計が落下した際にも電池が位置ずれしないように確実に保持できるようにすることを目的としている。
発明の開示
本発明は、前記目的を達成するために、以下に記載されたような技術構成を採用するものである。
即ち、本発明は、電池を保持するための開口部を備えた電池枠を有し、前記電池枠には、前記開口部側へ突出すると共にテーパが施された庇部を有する係合部が設けられていることを特徴とする電子時計の電池保持構造である。電池を開口部へ挿入して係合部の庇部により保持する。
ここで、前記係合部は複数設けられると共に、前記係合部の庇部は、電池取付時に前記電池が前記庇部の幅狭部に当接した後に幅広部に当接するような形状のテーパを施してもよい。
また、前記係合部は前記庇部と、前記庇部を前記電池枠に取付けるための弾性を有する腕部とにより構成してもよい。
さらに、前記電池枠及び係合部を、絶縁性樹脂によって一体形成してもよい。
さらにまた、前記庇部には、裏蓋を装着した状態で前記裏蓋に当接する突起部を一体形成するようにしてもよい。
また、前記突起部は、その少なくとも一部が前記係合部の内壁面よりも前記開口部側に突出するように構成され、前記内壁面よりも前記開口部側に突出した位置で前記裏蓋と当接するように構成してもよい。
また、前記電池はボタン電池であってもよい。
また、前記電子時計は、電子腕時計であってもよい。
発明を実施するための最良の形態
以下に、本発明に係る電子時計の電池保持構造の具体例について、図面を参照しながら詳細に説明する。
第１図は、本発明に係る電子時計の電池保持構造の一具体例を示す平面図で、電子腕時計の例を示している。また、第２図は、第１図のＡ−Ａ正断面図である。尚、第１図及び第２図においては、電池枠内に電池を保持した状態を示しており又、同一部分には同一符号を付している。
第１図及び第２図において、１０１は電池の一種であるボタン電池、１０２は電池１０１より僅かに大径の開口部１１３を有する絶縁性樹脂製の電池枠、１０３〜１０９は絶縁性樹脂を電池枠１０２と一体形成して構成された複数の係合部、１１０は正電極端子、１１１は電池枠１０２の底部に形成された穴１１２から突出するように付勢され弾性を有する負電極端子、１１４は巻真である。
係合部１０３〜１０９は、各々、開口部１１３側に突出し電池１０１の断面方向への位置ずれや脱落を防止する庇部１０３ａ〜１０９ａ、庇部１０３ａ〜１０９ａを電池枠１０２に連結すると共に電池１０１の平面方向の位置ずれを規制するための弾性を有する腕部１０３ｂ〜１０９ｂによって構成されている。
複数の係合部１０５〜１０８の庇部１０５ａ〜１０８ａは、電池１０１の取付時に、電池１０１が庇部１０５ａ〜１０８ａの幅狭部１０５ｃ〜１０８ｃに当接した後に幅広部１０５ｄ〜１０８ｄに当接するような形状にテーパが施されている。
尚、係合部１０９の庇部１０９ａはテーパは施されていない。また、係合部１０３、１０４の庇部１０３ａ、１０４ａはテーパが施されており、各々、幅狭部１０３ｃ、１０４ｃ、幅広部１０３ｄ、１０４ｄが形成されてるが、電池１０１の取付け当初に、電池１０１の一端部がこれらの庇部１０３ａ、１０４ａの下側に挿入されるものであるため、これらの庇部１０３ａ、１０４ａには必ずしもテーパを施す必要はない。
第３図は、電池枠１０２内に電池１０１を取付ける際の使用態様を示す正断面図で、第１図における電池枠１０２のＢ−Ｂ断面に相当する断面図を示している。
以下、第１図〜第３図を用いて、本具体例について詳細に説明する。
電池１０１を電池枠１０２内に取付ける場合には、先ず、予め定められた電池１０１の挿入方向、即ち、矢印Ｃ方向に沿って、電池１０１の一方の端縁部を、負電極端子１１１と係合部１０３、１０４の庇部１０３ａ、１０４ａ間に挿入し、電池枠１０２内周縁に当接させる（第３図参照）。
この状態で、電池１０１の他方の端縁部が係合部１０９の庇部１０９ａの下方に位置するように上から電池１０１を押圧する。電池１０１は、係合部１０５〜１０８の庇部１０５ａ〜１０８ａの幅狭部１０５ｃ〜１０８ｃから幅広部１０５ｄ〜１０８ｄに順に当接し、さらに電池１０１が押下されると、第２図の破線で示すように、電池１０１は電池枠１０２内で、係合部１０３〜１０９の庇部１０３ａ〜１０９ａの下部に入り込み、電池１０１は電池枠１０２の開口部１１３内に収容保持される。
このとき、庇部１０５ａ〜１０８ａにはテーパが施されているため、前記の如くして電池１０１を開口部１１３内に収容保持する際、電池１０１の周縁が庇部１０５ａ〜１０８ａに順に当接することによって、第２図の実線で示すように、弾性を有する腕部１０５ｂ〜１０８ｂが順に拡開するように撓み、庇部１０５ａ〜１０８ａも拡開する。これにより、容易に電池１０１を第１図及び第２図の保持位置に収容することが可能になる。電池１０１は電池枠１０２の開口部１１３内に収容保持され、電池１０１の正電極及び負電極が、各々、正電極端子１１０と負電極端子１１１に電気的に接触した状態に保持される。
このようにして電池枠１０２の開口部１１３内に保持されると、電池１０１は、平面方向の位置ずれは電池枠１０２の周壁部や係合部１０３〜１０９の腕部１０３ｂ〜１０９ｂによって防止されると共に、庇部１０３ａ〜１０９ａによって断面方向の位置ずれや脱落が防止される。
尚、電池１０１を交換する場合には、ピンセット等の工具を用いて、容易に電池１０１を取り外すことができる。
以上述べたように、本発明の一具体例に係る電子時計の電池保持構造は、特に、ボタン電池等の電池１０１を挿入保持するための開口部１１３を備えた電池枠１０２を有し、電池枠１０２には、開口部１１３側へ突出すると共にテーパが施された庇部１０５ａ〜１０８ａを有する係合部１０５〜１０８が形成されていることを特徴としている。
したがって、電池１０１の断面方向の動きを規制するための別個の部品を用いずに、落下等の衝撃が生じても電池１０１が外れることなく保持することが可能になり又、開口部１１３側に長く突出した庇部１０３ａ〜１０９ａに対して電池１０１の組み込み性が良いという効果を奏する。
また、部品点数の削減により構造を簡略化することが可能になり又、組立工数を削減できるため組立時間の短縮、ひいてはコストダウンを図ることが可能になる。
さらに、電池押え等の部品を電池１０１上に積層配設する必要がないため、電子時計を薄型化することが可能になる。
さらにまた、電池枠１０２及び庇部１０３〜１０９を絶縁性樹脂によって一体形成することにより、絶縁板等が不要になる。
尚、本具体例においては、電池１０１としてボタン電池１０１を使用したが、他の形状の電池を使用してもよい。また、電子腕時計の例で説明したが、デジタル表示式又はアナログ表示式の電子腕時計をはじめとして、壁掛け型電子時計、卓上型電子時計等の電池駆動型の各種電子時計にも適用することができる。
第４図は本発明に係る電子時計の電池保持構造の他の具体例を示す平面図で又、第５図は第４図のＥ−Ｅ正断面図である。尚、両図において、同一部分には同一符号を付すと共に、第１図〜第３図と同一部分には同一符号を付している。また、第４図は裏蓋を省略した図を示している。
本具体例と第１図〜第３図に示した具体例との相違点は、電池１０１の断面方向への位置ずれや脱落をより確実に防止するために、各庇部１０３ａ〜１０９ａに突起部５０１〜５０７を一体形成した点であり、電池１０１の挿入・保持方法その他は同一であるため、以下主として、複数の突起部５０１〜５０７について説明する。
第４図及び第５図において、各突起部５０１〜５０７は絶縁性樹脂によって形成されており、各庇部１０３ａ〜１０９ａの裏蓋６０１側に、各庇部１０３ａ〜１０９ａと一体に形成されている。突起部５０１〜５０７は、その先端部が円錐台に形成されており、裏蓋６０１に押圧された際にその先端部が潰れて、部品公差を吸収できるようになっている。また、突起部５０１〜５０７は、その少なくとも一部が、係合部１０３〜１０９の腕部１０３ｂ〜１０９ｂの内壁面６０２よりも開口部１１３側に突出するように構成され、内壁面６０２よりも開口部１１３側に突出した位置で裏蓋６０１と当接するように構成されている。また、電子時計の裏蓋６０１を装着することにより電子時計が完成した状態では、裏蓋６０１が突起部５０１〜５０７に当接するように構成されている。
上記構成において、電池１０１を電池枠の１０２の開口部１１３内に収容保持した状態で裏蓋６０１を電子時計本体に装着する場合、先ず、裏蓋６０１が突起部５０１〜５０７に当接する。この状態で、裏蓋６０１を電子時計本体に装着すると、裏蓋６０１は、突起部５０１〜５０７を押圧した状態で電子時計本体に装着される。このとき、突起部５０１〜５０７は、内壁面６０２よりも開口部１１３側に突出した位置で裏蓋６０１と当接するため、裏蓋６０１の押圧力によって庇部１０３ａ〜１０９ａは電池１０１方向に撓む。電池１０１は、電池枠１０２の開口部１１３内で庇部１０３ａ〜１０９ａによって押圧された状態で強固に保持される。
したがって、本具体例は前述した一具体例と同様の効果を有するばかりでなく、電池１０１の断面方向の動きを庇部１０３ａ〜１０９ａによって確実に規制することが可能になるため、電子時計が落下した場合等のように衝撃を受けた場合でも、電池１０１に位置ずれや脱落が生じることをより確実に防止できる。
また、突起部５０１〜５０７は、内壁面６０２よりも開口部１１３側に突出した位置で裏蓋６０１と当接するため、庇部１０３ａ〜１０９ａを確実に電池１０１側へ押圧でき、電池１０１の保持をより確実に行うことが可能になる。したがって、耐衝撃性に優れた電子時計を構成することが可能になる。
尚、突起部５０１〜５０７は、必ずしも全ての庇部１０３ａ〜１０９ａに設ける必要はなく、少なくとも３つの突起部をバランスよく配設すればよい。また、突起部５０１〜５０７は、各庇部１０３ａ〜１０９ａに複数個ずつ配設するようにしてもよい。さらに、突起部５０１〜５０７を、内壁面６０２よりも開口部１１３側に突出しないように構成して、内壁面６０２から開口部１１３側に突出しない位置で裏蓋６０１と当接するように構成することも可能である。この場合にも、裏蓋６０１の押圧力によって腕部１０３ｂ〜１０９ｂが撓んで庇部１０３ａ〜１０９ａが電池１０１に押圧され、これによって電池１０１の断面方向の位置ずれ等が防止される。
産業上の利用可能性
以上のように、本発明に係る電子時計の電池保持構造は、デジタル表示式又はアナログ表示式の電子腕時計をはじめとして、壁掛け型電子時計、卓上型電子時計等の電池駆動型の各種電子時計に適用できる。
【図面の簡単な説明】
第１図は、本発明に係る電子時計の電池保持構造の一具体例を示す平面図である。
第２図は、本発明に係る電子時計の電池保持構造の一具体例を示す部分正断面図である。
第３図は、本発明に係る電子時計の電池保持構造の一具体例の使用態様を示す正断面図である。
第４図は、本発明に係る電子時計の電池保持構造の他の具体例を示す平面図である。
第５図は、本発明に係る電子時計の電池保持構造の他の具体例を示す部分正断面図である。
第６図は、従来の電子時計の電池保持構造を示す平面図である。
第７図は、従来の電子時計の電池保持構造を示す部分正断面図である。
【図１】
0004732662.tif 000002
【図２】
0004732662.tif 000003
【図３】
0004732662.tif 000004
【図４】
0004732662.tif 000005
【図５】
0004732662.tif 000006
【図６】
0004732662.tif 000007
【図７】
0004732662.tif 000008